(57)【要約】【課題】記録媒体の排出中の他の記録媒体の誤挿入を防止できる情報処理装置を提供する。【解決手段】ＣＤチェンジャ１はディスク搬送部４とディスク検知機構２６と侵入規制部２７を備えている。ディスク搬送部４は回転駆動されることで機器本体内にＣＤを出し入れする駆動ローラ２１と駆動ローラ２１に近づく方向に付勢された従動ローラ２２を備えている。ディスク検知機構２６は機器本体内外に搬送されるＣＤ２の外縁に接触する検知ピン３３が設けられた一対のレバー部材３２を備えている。侵入規制部２７はＣＤ２を機器本体３外に排出する際にＣＤ２を排出するときに回転する方向Ｋ２と逆向きの方向Ｋ２ａに従動ローラ２２が回転すると一方のレバー部材３２に当接して一対のレバー部材３２が互いに離れることを規制してＣＤ２が機器本体内に侵入することを規制する。【選択図】図１２
2010079981.tif 000002
【特許請求の範囲】
【請求項１】
機器本体と、
駆動源により回転駆動されることで前記機器本体内外に記録媒体を搬送する駆動ローラと、
回転自在に設けられかつ前記駆動ローラとの間に前記記録媒体を挟みこむ従動ローラと、
前記記録媒体の非搬送時に前記記録媒体の搬送経路内に位置するとともに、搬送時に前記記録媒体に押圧されて搬送経路外へ移動するピンが設けられたレバー部材と、
を備えた情報処理装置において、
前記記録媒体を前記機器本体外に排出する際に、前記記録媒体を排出するときに回転する方向と逆向きの方向に前記従動ローラが回転すると、当該従動ローラの回転に連動して前記レバー部材に当接し、前記ピンが前記搬送経路外に移動することを規制する侵入規制部を備えたことを特徴とする情報処理装置。
【請求項２】
機器本体と、
駆動源により回転駆動されることで前記機器本体内に記録媒体を出し入れする駆動ローラと、
回転自在に設けられかつ前記駆動ローラとの間に前記記録媒体を挟みこむ従動ローラと、
前記機器本体に互いに接離自在に設けられかつ互いに近づく方向に付勢されているとともに前記機器本体内外に搬送される記録媒体の外縁に接触する検知ピンが設けられた一対のレバー部材を有して、前記記録媒体によって前記検知ピンが押圧されて前記レバー部材が移動することで前記記録媒体を検知するディスク検知機構と、
を備えた情報処理装置において、
前記記録媒体を前記機器本体外に排出する際に、前記記録媒体を排出するときに回転する方向と逆向きの方向に前記従動ローラが回転すると、前記一対のレバー部材のうちの少なくとも一方に当接して、当該レバー部材が他方のレバー部材から離れることを規制して、前記記録媒体が前記機器本体内に侵入することを規制する侵入規制部を備えたことを特徴とする情報処理装置。
【請求項３】
前記侵入規制部は、
前記従動ローラに向かって付勢された状態で当該従動ローラに取り付けられて前記逆向きの方向に前記従動ローラが回転すると前記一対のレバー部材のうちの少なくとも一方に当接する位置まで前記従動ローラとともに回転する被取付部材と、
前記逆向きの方向に前記従動ローラが回転すると前記被取付部材を前記一対のレバー部材のうちの一方に当接する位置に維持する維持手段と、を備えたことを特徴とする請求項１又は請求項２記載の情報処理装置。
【請求項４】
前記記録媒体を前記機器本体内に収容する際に、前記記録媒体を排出するときに回転する方向と逆向きの方向に前記従動ローラが回転しても、前記記録媒体が前記機器本体内に侵入することを前記侵入規制部に許容させる規制解除部を備えたことを特徴とする請求項３記載の情報処理装置。
【請求項５】
前記規制解除部は、前記記録媒体を前記機器本体内に収容する際に位置付けられかつ前記被取付部材が前記従動ローラとともに前記逆向きの方向に回転することを規制する位置と、前記記録媒体を前記機器本体外に排出する際に位置付けられかつ前記被取付部材が前記従動ローラとともに前記逆向きの方向に回転することを許容する位置と、に亘って移動される移動部材を備えたことを特徴とする請求項４記載の情報処理装置。
【請求項６】
前記機器本体に設けられて動作状況を表示する表示部と、
前記従動ローラの回転方向を検出する検出手段と、
前記記録媒体を前記機器本体外に排出する際に、前記検出手段が前記記録媒体を排出するときに回転する方向と逆向きの方向に前記従動ローラが回転したことを検出すると、この前記従動ローラが逆向きの方向に回転したことを示す情報を前記表示部に表示させる制御手段と、
を備えたことを特徴とする請求項１ないし請求項５のうちいずれか一項に記載の情報処理装置。
【発明の詳細な説明】
【技術分野】
【０００１】
本発明は、自動車などに搭載される情報処理装置に関し、更に詳しくは、記録媒体を機器本体に出し入れ可能であり、この機器本体内に収容した記録媒体に記録された情報を再生する情報処理装置に関する。
【背景技術】
【０００２】
例えば、移動体としての自動車のインストルメントパネル（以下インパネと呼ぶ）には、情報処理装置としてのＣＤプレーヤ（例えば、特許文献１参照）が取り付けられる。ＣＤプレーヤは、記録媒体としてのCompact Disc（以下ＣＤと呼ぶ）が記録した情報を読み出す。
【０００３】
特許文献１などに示された従来のＣＤプレーヤは、前記インパネに取り付けられる機器本体と、前記機器本体の前面に開口した記録媒体挿入口と、ＣＤを機器本体の内外に出し入れする搬送ユニットと、前記ＣＤに記録された情報を読み出すための再生ユニットと、前記機器本体の前面に設けられかつ前記ＣＤプレーヤの動作状況を表示する表示部と、前記機器本体の前面に設けられかつ前記ＣＤプレーヤを操作するための操作部などを備えている。機器本体は、複数の板金などが互いに組み付けられて箱状に形成されたシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられて、互いの間に前記ＣＤを挟みこむ駆動ローラと従動ローラとを備えている。駆動ローラと従動ローラとは、互いに接離自在に設けられかつ互いに近づく方向に付勢されている。駆動ローラは、駆動源としてのモータによりその軸芯周りに回転駆動される。従動ローラは、その軸芯周りに回転自在に設けられかつ駆動ローラとの間に挟みこんだＣＤが当該駆動ローラの回転駆動により機器本体に出し入れされるＣＤの移動に従動して回転する。搬送ユニットは、駆動ローラと従動ローラとの間にＣＤを挟んで、駆動ローラがモータにより回転駆動されることで、前記ＣＤを機器本体に出し入れする。
【０００５】
再生ユニットは、機器本体内に収容されたＣＤをクランプして、当該ＣＤの情報を読み出す。
【０００６】
表示部は、周知の蛍光表示管などで構成されている。操作部は、複数の押圧スイッチやダイヤルスイッチなどを備えている。
【０００７】
前述したＣＤプレーヤは、搬送ユニットが機器本体にＣＤを出し入れし、再生ユニットが機器本体内のＣＤの情報を読み出して再生する。
【特許文献１】特開２０００−２０７８０２号公報
【発明の開示】
【発明が解決しようとする課題】
【０００８】
しかしながら、前述した従来のＣＤプレーヤは、機器本体内のＣＤを機器本体外に排出する際に、使用者が誤って、排出中のＣＤと従動ローラとの間に他のＣＤを挿入すると、前記従動ローラが回転自在となっているために、当該他のＣＤが前記排出中のＣＤ上を滑って機器本体内に挿入されてしまうことがあった。このように、他のＣＤを機器本体内に挿入してしまうと、勿論、当該他のＣＤを再度排出することは困難で、ＣＤプレーヤが故障してしまう原因となっていた。
【０００９】
したがって、本発明の目的は、例えば、記録媒体の排出中の他の記録媒体の誤挿入を防止できる情報処理装置を提供することにある。
【課題を解決するための手段】
【００１０】
本発明の情報処理装置は、機器本体と、駆動源により回転駆動されることで前記機器本体内外に記録媒体を搬送する駆動ローラと、回転自在に設けられかつ前記駆動ローラとの間に前記記録媒体を挟みこむ従動ローラと、前記記録媒体の非搬送時に前記記録媒体の搬送経路内に位置するとともに、搬送時に前記記録媒体に押圧されて搬送経路外へ移動するピンが設けられたレバー部材と、を備えた情報処理装置において、前記記録媒体を前記機器本体外に排出する際に、前記記録媒体を排出するときに回転する方向と逆向きの方向に前記従動ローラが回転すると、当該従動ローラの回転に連動して前記レバー部材に当接し、前記ピンが前記搬送経路外に移動することを規制する侵入規制部を備えたことを特徴としている。
【００１１】
また、本発明の情報処理装置は、機器本体と、駆動源により回転駆動されることで前記機器本体内に記録媒体を出し入れする駆動ローラと、回転自在に設けられかつ前記駆動ローラとの間に前記記録媒体を挟みこむ従動ローラと、前記機器本体に互いに接離自在に設けられかつ互いに近づく方向に付勢されているとともに前記機器本体内外に搬送される記録媒体の外縁に接触する検知ピンが設けられた一対のレバー部材を有して、前記記録媒体によって前記検知ピンが押圧されて前記レバー部材が移動することで前記記録媒体を検知するディスク検知機構と、を備えた情報処理装置において、前記記録媒体を前記機器本体外に排出する際に、前記記録媒体を排出するときに回転する方向と逆向きの方向に前記従動ローラが回転すると、前記一対のレバー部材のうちの少なくとも一方に当接して、当該レバー部材が他方のレバー部材から離れることを規制して、前記記録媒体が前記機器本体内に侵入することを規制する侵入規制部を備えたことを特徴としている。
【発明を実施するための最良の形態】
【００１２】
以下、本発明の一実施形態にかかる情報処理装置を説明する。本発明の一実施形態にかかる情報処理装置は、記録媒体の排出中に、従動ローラが排出するときに回転する方向と逆向きの方向に回転すると、侵入規制部が一対のレバー部材が互いに離れることを規制して、このレバー部材に設けられたピン又は検知ピンにより記録媒体の機器本体内への侵入を規制している。こうすることで、記録媒体の排出中に、他の記録媒体が排出中の記録媒体と従動ローラとの間に挿入されても、当該他の記録媒体の機器本体内への侵入を阻止できる。したがって、記録媒体の排出中の他の記録媒体の誤挿入を確実に防止することができる。
【００１３】
侵入規制部が、従動ローラに向かって付勢されて当該従動ローラに取り付けられた被取付部材と、従動ローラが記録媒体を排出するときに回転する方向と逆向きの方向に回転すると被取付部材をレバー部材に当接する位置に維持する維持手段と、を備えていても良い。この場合、記録媒体を排出する際に、従動ローラが逆向きに回転すると即ち従動ローラと排出中の記録媒体との間に他の記録媒体が挿入されると、維持手段により被取付部材をレバー部材に当接する位置に維持することができる。よって、記録媒体を排出する際に、従動ローラと排出中の記録媒体との間に他の記録媒体が挿入されても、一対のレバー部材が互いに離れることを規制でき、前述した他の記録媒体の機器本体内への侵入を確実に防止することができる。
【００１４】
また、記録媒体を機器本体内に収容する際に、前述した逆向きの方向に従動ローラが回転しても、記録媒体が機器本体内に侵入することを侵入規制部に許容させる規制解除部を備えても良い。この場合、記録媒体を機器本体内に収容する際には、当該記録媒体の機器本体内への侵入を侵入規制部が妨げることなく、前述した記録媒体を機器本体内に確実に収容することができる。
【００１５】
規制解除部が、記録媒体を機器本体内に収容する際に被取付部材の回転を規制する位置と、記録媒体を機器本体外に排出する際に被取付部材の回転を許容する位置とに亘って移動される移動部材を備えていても良い。この場合、記録媒体を機器本体内に収容する際には、当該記録媒体を機器本体内に確実に収容でき、記録媒体を機器本体外に排出する際には、当該記録媒体を機器本体外に確実に排出することができる。
【００１６】
また、記録媒体の排出中に、従動ローラが排出するときに回転する方向と逆向きの方向に回転すると、即ち他の記録媒体が排出中の記録媒体と従動ローラとの間に挿入されると、かかる旨の表示部に表示するようにしても良い。この場合、使用者に記録媒体の誤挿入を喚起ことができ、記録媒体の排出中の他の記録媒体の誤挿入をより確実に防止することができる。
【実施例】
【００１７】
以下、本発明の一実施例にかかる情報処理装置の一例としてのＣＤチェンジャ１を、図１ないし図１９に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１８】
ＣＤチェンジャ１は、図２に示すように、機器本体３（図１に示す）と、表示部としての表示パネル１３と、操作部１４と、駆動源としてのモータ１５と、ディスク搬送部４と、ディスク再生部５と、収容部としてのディスク収容部６と、ディスク検知機構２６と、ディスク移動機構７と、侵入規制部２７と、規制解除部２８と、制御手段としてのマイクロプロセッサ１７（以下、ＭＰＵとよび、図３に示す）とを備えている。なお、以下、図２中のＣＤ２の搬送する際に移動する方向（以下、搬送方向と呼ぶ）と平行な矢印ＹをＣＤチェンジャ１の奥行き方向と記し、奥行き方向Ｙに対し直交しかつＣＤ２の表面と平行な矢印ＸをＣＤチェンジャ１の幅方向と記し、幅方向Ｘと奥行き方向Ｙとの双方に対して直交する矢印ＺをＣＤチェンジャ１の厚み方向と記す。
【００１９】
機器本体３は、合成樹脂からなる図１に示す外側ケース８と、板金などからなる図２などに示す固定シャーシ９などを備えている。外側ケース８は、扁平な箱状に形成されている。外側ケース８には、その前面８ａにＣＤ２を出し入れ可能な挿入口１０が設けられている。
【００２０】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００２１】
固定シャーシ９は、外側ケース８内に収容されているとともに、該外側ケース８に固定されている。固定シャーシ９は、図２に示すように、板状の底板１１と、この底板１１の外縁から立設した周板１２と、底板１１と間隔をあけて配置された天井板２９（図５中に点線で示す）とを備えている。底板１１は、外側ケース８の図１中下側に位置する壁上に重ねられている。周板１２は、外側ケース８の外壁上に重ねられている。天井板２９は、外側ケース８の図１中上側に位置する壁上に重ねられている。
【００２２】
表示パネル１３は、前述した外側ケース８の前面８ａに露出して設けられ、使用者に対し各種の情報を表示する表示領域としての表示面を備えている。表示パネル１３は、表示面に再生中のプログラム名等の動作状況を示す情報を表示する。
【００２３】
操作部１４は、各種のスイッチ１４ａを備えている。スイッチ１４ａが使用者などに操作されることによって、例えば、挿入口１０を通して機器本体３内に挿入されるＣＤ２を保持する後述のホルダ１９を設定するために用いられる。操作部１４は、スイッチ１４ａが使用者に操作されることで、挿入口１０を通して機器本体３外に排出されるＣＤ２を保持したホルダ１９を設定するために用いられる。操作部１４は、スイッチ１４ａが使用者に操作されることで、複数のホルダ１９に保持されたＣＤ２のうち情報を読み出すＣＤ２を設定するために用いられる。
【００２４】
モータ１５は、固定シャーシ９の底板１１などに取り付けられ、前述した挿入口１０の近傍に配されている。モータ１５は、出力軸の軸芯が、挿入口１０の長手方向即ち機器本体３の幅方向Ｘに沿っている。モータ１５の出力軸には、ピニオン２０（図２に示す）が取り付けられている。
【００２５】
ディスク搬送部４は、機器本体３内に収容され、かつ挿入口１０の近傍に配置されている。ディスク搬送部４は、駆動ローラ２１と、従動ローラ２２とを備えている。
【００２６】
駆動ローラ２１と従動ローラ２２とは、それぞれ円柱状の棒状に形成され、互いに厚み方向Ｚに重ねられている。図示例では、図２に示すように、駆動ローラ２１が従動ローラ２２の上方に配置されている。また、駆動ローラ２１と従動ローラ２２とは、それぞれ、軸芯が幅方向Ｘと平行に配置され、軸芯周りに回転自在に駆動シャーシ３０（図８などに示す）を介して固定シャーシ９などに支持されている。
【００２７】
また、これらの駆動ローラ２１と従動ローラ２２とは、厚み方向Ｚに沿って移動自在に機器本体３の固定シャーシ９などに移動自在に支持されて、互いに接離自在となっている。さらに、これらの駆動ローラ２１と従動ローラ２２とは、図示しない付勢手段としてのコイルばねなどにより互いに近づく方向に付勢されている。駆動ローラ２１と従動ローラ２２とは、それぞれ、金属で構成された芯軸３１（図１４中に従動ローラ２２の芯軸３１のみ示す）と、この芯軸３１の周りに設けられたゴムなどの合成樹脂で構成されたローラ本体とを備えている。
【００２８】
さらに、駆動ローラ２１の図２中の手前側の端部には、歯車２３が取り付けられている。歯車２３は、固定シャーシ９に回転自在に設けられた中間歯車２４に噛合している。この中間歯車２４は、複数の他の中間歯車２４を介して前述したピニオン２０と噛み合っている。このため、歯車２３即ち駆動ローラ２１は、モータ１５によりその軸芯周りに回転駆動されることで前記機器本体３内にＣＤ２を出し入れする。
【００２９】
また、前記従動ローラ２２には、検出手段としてのロータリエンコーダ２５（図３に示す）が取り付けられている。即ち、ＣＤチェンジャ１は、検出手段としてのロータリエンコーダ２５を備えている。ロータリエンコーダ２５は、従動ローラ２２の回転方向を検出して、この回転方向を示す情報をＭＰＵ１７に向かって出力する。
【００３０】
前述した構成のディスク搬送部４は、駆動ローラ２１と従動ローラ２２との間にＣＤ２を挟み、モータ１５により駆動ローラ２１が回転駆動されることで、当該ＣＤ２を機器本体３に出し入れする即ち機器本体３の内外に搬送する。ディスク搬送部４の従動ローラ２２は、勿論、ＣＤ２の移動ととともに軸芯周りに回転する。
【００３１】
ディスク再生部５は、機器本体３内に収容されており、移動シャーシと、この移動シャーシに揺動自在に支持された揺動シャーシと、クランプ再生部とを備えている。移動シャーシは、枠状に形成され、厚み方向Ｚ即ちＣＤ２同士が重ねられる方向に沿って移動自在に固定シャーシ９に支持されている。
【００３２】
揺動シャーシは、帯板状に形成されている。揺動シャーシは、一端部を中心として回動自在に移動シャーシに支持されている。揺動シャーシは、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００３３】
クランプ再生部は、揺動シャーシ上に設けられている。クランプ再生部は、ＣＤ２をクランプするターンテーブルと、当該ターンテーブルを回転するスピンドルモータと、ターンテーブルにクランプされたＣＤ２の径方向に移動自在でかつＣＤ２からの情報を読み出すピックアップなどを備えている。クランプ再生部は、揺動シャーシの他端部がＣＤ２間に侵入して、ターンテーブルが該ＣＤ２をクランプして、スピンドルモータが当該ＣＤ２を回転する。そして、クランプ再生部は、ターンテーブルが回転しているＣＤ２からピックアップが情報を読み出す。
【００３４】
ディスク再生部５は、揺動シャーシの他端部がＣＤ２間に侵入して、ターンテーブルがＣＤ２をクランプするとともに、ターンテーブルがＣＤ２を回転する。ディスク再生部５は、ピックアップが、ターンテーブルにより回転されたＣＤ２から情報を読み出す。
【００３５】
ディスク収容部６は、機器本体３内に収容されており、図２に示すように、移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した厚み方向Ｚ即ちＣＤ２同士が重ねられる方向に沿って移動自在に固定シャーシ９の周板１２などに支持されている。
【００３６】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００３７】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の外表面が互いに平行になるように、互いに重ねられて配されている。ホルダ１９は、前記厚み方向Ｚに沿って移動自在に移動シャーシ１８などに支持されている。ディスク収容部６は、ＣＤ２を保持可能な複数のホルダ１９を積層配列して収容する。
【００３８】
ディスク検知機構２６は、図５などに示すように、一対のレバー部材３２と、一対のピンとしての検知ピン３３と、複数のスイッチを備えている。
【００３９】
レバー部材３２は、それぞれ、帯板状に形成され、かつ、挿入口１０の近傍に配置されている。レバー部材３２は、幅方向Ｘに沿って、互いに間隔をあけて配置され、かつ、それぞれが天井板２９上に重ねられている。レバー部材３２は、天井板２９に設けられた図示しないガイド溝などにより、幅方向Ｘに沿って、移動自在に設けられている。また、一対のレバー部材３２は、図示しない付勢ばねにより、互いに近づく方向に付勢されている。
【００４０】
検知ピン３３は、円柱状に形成され、かつ一対のレバー部材３２の中央部から立設している。即ち、検知ピン３３は、レバー部材３２に設けられている。検知ピン３３は、ＣＤ２の非搬送時に当該ＣＤ２の搬送経路内に位置付けられている。なお、搬送経路とは、機器本体３の内外に移動される際のＣＤ２の移動軌跡をいう。検知ピン３３は、挿入口１０を通して機器本体３内に挿入されたＣＤ２の外縁が接触するとともに、挿入口１０を通して機器本体３内から当該機器本体３外に排出するＣＤ２の外縁が接触する。即ち、検知ピン３３は、機器本体３内外に搬送されるＣＤ２の外縁に接触する。そして、検知ピン３３は、機器本体３内外へのＣＤ２の搬送時に、当該ＣＤ２の外縁に押圧されて、搬送経路外に移動する。
【００４１】
複数のスイッチは、それぞれ、天井板２９などに取り付けられている。複数のスイッチは、それぞれ、本体部と当該本体部から突没自在な接触子とを備えている。
【００４２】
複数のスイッチのうち一つは、検知ピンが最も近づいた状態において、挿入口１０内にＣＤ２が挿入されて、一対のレバー部材３２が互いに離れる方向に移動すると、レバー部材により接触子が押圧されて、一対のレバー部材３２が互いに離れる方向に移動したことを検出する。他の一つは、ＣＤ２によりレバー部材３２が互いに最も離れると、レバー部材により接触子が押圧されて、一対のレバー部材３２が互いに最も離れたことを検出する。さらに、他の一つは、機器本体３内のＣＤ２を当該機器本体３外に排出完了した際に、レバー部材により接触子が押圧されて、ＣＤ２の排出が完了したことを検出する。このように、前述したスイッチはオン又はオフとなることで、ＣＤ２の位置を検知する。
【００４３】
ディスク検知機構２６は、互いに近づく方向に付勢された一対のレバー部材３２に設けられた検知ピン３３がＣＤ２の外縁に接触することで、機器本体３に出し入れされるＣＤ２の移動方向を案内する。そして、ディスク検知機構２６は、スイッチのオン・オフによりＣＤ２の位置を検出する。
【００４４】
ディスク移動機構７は、機器本体３内に収容されており、ディスク再生部５とディスク収容部６の双方の移動シャーシ１８を厚み方向Ｚに沿って移動させるとともに、ディスク収容部６の各ホルダ１９を厚み方向Ｚに沿って移動させる。ディスク移動機構７は、モータ１５の回転駆動力により、奥行き方向Ｙに沿って移動されることで、ディスク再生部５とディスク収容部６の双方の移動シャーシ１８を厚み方向Ｚに沿って移動させるスライドシャーシ３４を備えている。ディスク移動機構７は、機器本体３内のＣＤ２から情報を読み出す際には、ディスク収容部６の移動シャーシ１８を底板１１から最も遠ざけて即ち最も上昇させて、ディスク再生部５の移動シャーシを厚み方向Ｚに沿って移動させる。そして、ディスク移動機構７は、ディスク収容部６のホルダ１９を厚み方向Ｚに沿って移動させて、一つのＣＤ２を保持したホルダ１９を他のホルダ１９から遠ざけて、これらのホルダ１９間に揺動シャーシの他端部を侵入させて、ディスク再生部５のクランプ再生部に前述した一つのＣＤ２から情報を読み出させる。
【００４５】
ディスク移動機構７は、機器本体３の内外にＣＤ２を出し入れする際には、ディスク再生部５の移動シャーシを底板１１に最も近づけて即ち最も降下させて、ディスク収容部６の移動シャーシ１８を厚み方向Ｚに沿って移動させる。そして、ディスク移動機構７は、ディスク収容部６のホルダ１９を厚み方向Ｚに沿って移動させて、機器本体３に挿入されたＣＤ２を保持する又は保持したＣＤ２を機器本体３外に排出する一つのホルダ１９を他のホルダ１９から遠ざけるとともに、この一つのホルダ１９をディスク搬送部４の駆動ローラ２１と従動ローラ２２との間と奥行き方向Ｙに沿って並ぶ位置に位置付けて、機器本体３に挿入されたＣＤ２を前述した一つのホルダ１９に保持させたり、前述した一つのホルダ１９に保持されたＣＤ２を機器本体３外に排出させる。なお、ディスク移動機構７のスライドシャーシ３４とモータ１５との間には、当該モータ１５の回転駆動力をスライドシャーシ３４に伝達する状態と、駆動ローラ２１に伝達する状態とを切り換える図示しない切換機構が設けられている。
【００４６】
侵入規制部２７は、図１４に示すように、被取付部材としてのストッパ３５と、維持手段としての付勢ねじ３６と、を備えている。ストッパ３５は、従動ローラ２２の図２中手前側の端部に取り付けられている。ストッパ３５は、図１４に示すように、円環状の取付部３７と、この取付部３７に一端が連なった棒状のストッパ部３８とを備えている。
【００４７】
取付部３７は、従動ローラ２２の前述した端部の芯軸３１の外周に取り付けられて、この芯軸３１に対して回転自在に設けられている。取付部３７は、芯軸３１と同軸に配置されている。ストッパ部３８は、取付部３７から当該取付部３７の外周方向に延在した格好に配置されている。
【００４８】
付勢ねじ３６は、そのねじ部３９がストッパ３５の取付部を貫通しかつ当該ねじ部３９の先端が芯軸３１に密に接触した状態で、ストッパ３５を芯軸３１即ち従動ローラ２２に取り付けている。付勢ねじ３６は、所定の摩擦力を生じさせながら、芯軸３１の外周面上を摺動する。即ち。付勢ねじ３６は、ねじ部３９が芯軸３１の外周面に密に接触した状態で、ストッパ３５を従動ローラ２２に取り付けることで、当該ストッパ３５を芯軸３１即ち従動ローラ２２に向かって付勢する。
【００４９】
また、付勢ねじ３６は、ストッパ３５に外力が作用しない状態では、前述した摩擦力によりストッパ３５を芯軸３１即ち従動ローラ２２とともに回転させる。さらに、付勢ねじ３６は、後述するストッパ片４０が許容位置に位置付けられると、ストッパ３５を従動ローラ２２とともに回転させることで、このストッパ３５を、駆動ローラ２１を回転自在に支持した駆動シャーシ３０と天井板２９とのいずれかに接触させる。即ち、付勢ねじ３６は、ストッパ３５を、ストッパ片４０が許容位置に位置付けられた状態では、天井板２９と駆動シャーシ３０との間で回転させる。なお、ストッパ３５は、天井板２９に接触すると、一対のレバー部材３２のうち図５中手前側の一方のレバー部材３２と幅方向Ｘに沿って並び、当該一方のレバー部材３２と当接可能となる。また、付勢ねじ３６は、ストッパ片４０が許容位置に位置付けられた状態では、ストッパ３５が天井板２９と駆動シャーシ３０との間を越えようとしても前述した摩擦力を生じながら芯軸３１の外周面上を摺動して、ストッパ３５を芯軸３１即ち従動ローラ２２に対して相対的に回転させる。
【００５０】
規制解除部２８は、移動部材としてのストッパ片４０を備えている。ストッパ片４０は、図２に示すように、スライドシャーシ３４の挿入口１０寄りの端部に設けられている。即ち、ストッパ片４０は、スライドシャーシ３４とともに奥行き方向Ｙに沿って移動される。ストッパ片４０は、スライドシャーシ３４の前述した端部より機器本体３の幅方向Ｘの中央に向かって立設している。
【００５１】
ストッパ片４０は、スライドシャーシ３４とともに奥行き方向Ｙに沿って移動させることで、図１０に示すストッパ３５を駆動シャーシ３０との間に挟み込んで当該ストッパ３５が従動ローラ２２とともに回転することを規制する規制位置と、図８に示すストッパ３５と間隔をあけて当該ストッパ３５が駆動シャーシ３０と天井板２９との間において従動ローラ２２とともに回転することを許容する許容位置とに亘って、移動される。
【００５２】
ＭＰＵ１７は、周知のＲＯＭ、ＲＡＭ、ＣＰＵ、タイマーなどを内蔵したマイクロコンピュータであり、モータ１５、ディスク搬送部４、ロータリエンコーダ２５、ディスク再生部５、ディスク収容部６、ディスク移動機構７及び規制解除部２８の動作を制御して、ＣＤチェンジャ１全体の制御をつかさどる。
【００５３】
ＭＰＵ１７は、機器本体３内のＣＤ２を排出する際には、モータ１５を制御して、図５、図６、図８、図９、図１１、図１２、図１５乃至図１７に示すように、ストッパ片４０を前述した許容位置に位置付ける。そして、ＭＰＵ１７は、図４中のステップＳ１において、スイッチ１４ａのうち排出用のスイッチ１４ａが押圧操作されると、ステップＳ２に進む。
【００５４】
そして、ＭＰＵ１７は、ステップＳ２では、モータ１５により駆動ローラ２１を機器本体３外にＣＤ２を排出する方向Ｋ１（図１５中に矢印で示す）に回転駆動して、ステップＳ３に進む。すると、機器本体３内のＣＤ２が、図１５に示すように、駆動ローラ２１と従動ローラ２２との間に挟まれて、当該機器本体３外に徐々に排出されるとともに、当該ＣＤ２の移動にともなって、従動ローラ２２が勿論機器本体３外にＣＤ２を排出する方向としての矢印Ｋ２（図１５中に矢印で示す）に沿って回転している。この際、侵入規制部２７は、ストッパ３５が駆動シャーシ３０に接触する位置に維持されているので、当該ストッパ３５が回転することなく、従動ローラ２２のみが回転している。
【００５５】
ステップＳ３では、ＭＰＵ１７は、ロータリエンコーダ２５が、ＣＤ２を排出するときに回転する方向Ｋ２と逆向きの方向Ｋ２ａ（図１７中に矢印で示す）に従動ローラ２２が回転したことを検出したか否かを判定する。ＭＰＵ１７は、ロータリエンコーダ２５が、ＣＤ２を排出するときに回転する方向Ｋ２と逆向きの方向Ｋ２ａに従動ローラ２２が回転したことを検出していないとステップＳ４に進み、検出するとステップＳ６に進む。そして、ＭＰＵ１７は、ステップＳ４では、スイッチなどから情報により、ＣＤ２の排出が完了したか否かを判定し、排出が完了していないと、ステップＳ３に戻り、排出が完了すると、ステップＳ５に進んで、駆動ローラ２１の回転駆動を停止する。要するに、ＭＰＵ１７は、ＣＤ２の排出が完了するまで、ステップＳ３及びステップＳ４を繰り返す。
【００５６】
この状態で、図１６に示すように、排出中のＣＤ２と従動ローラ２２との間に他のＣＤ２ａが挿入されると、まず、従動ローラ２２が、他のＣＤ２ａの移動に伴って、当該従動ローラ２２がＣＤ２を排出するときに回転する方向Ｋ２と逆向きの方向Ｋ２ａに回転する。ＭＰＵ１７は、ステップＳ３において、ロータリエンコーダ２５が、ＣＤ２を排出するときに回転する方向Ｋ２と逆向きの方向Ｋ２ａに従動ローラ２２が回転したことを検出して、ステップＳ６に進む。さらに、従動ローラ２２が前述した逆向きの方向Ｋ２ａに回転すると、図６、図９、図１２及び図１７に示すように、ストッパ３５が天井板２９に接触する。そして、付勢ねじ３６のねじ部３９の先端が芯軸３１の外周面上を摺動して、ストッパ３５が天井板２９に接触した位置に維持される。
【００５７】
すると、他のＣＤ２ａが検知ピン３３を一対のレバー部材３２が互いに離れる方向に押圧する。そして、付勢ねじ３６が芯軸３１の外周面上を摺動して、ストッパ３５が天井板２９に接触した位置に維持されるので、図１８に示すように、図５中手前側の一方のレバー部材３２がストッパ３５に当接する。すると、一対の検知ピン３３は、図５中手前側の一方のレバー部材３２がストッパ３５に当接した位置よりも互いに離れることが規制される。そして、侵入規制部２７により前述した他のＣＤ２ａが機器本体３内に完全に収容されることが規制される。
【００５８】
こうして、侵入規制部２７は、ＣＤ２を機器本体３外に排出する際に、ＣＤ２を排出するときに回転する方向Ｋ２と逆向きの方向Ｋ２ａに従動ローラ２２が回転すると、当該従動ローラ２２の回転に連動して、レバー部材３２に当接して、検知ピン３３が搬送経路外に移動することを規制する。また、侵入規制部２７は、ＣＤ２を機器本体３外に排出する際に、ＣＤ２を排出するときに回転する方向Ｋ２と逆向きの方向Ｋ２ａに従動ローラ２２が回転すると、一対のレバー部材３２のうちの一方のレバー部材３２に当接して、当該レバー部材３２が他方のレバー部材３２から離れることを規制する。そして、侵入規制部２７は、前述した他のＣＤ２ａが機器本体３内に侵入することを規制する。さらに、侵入規制部２７のストッパ３５は、付勢ねじ３６により、ＣＤ２を機器本体３外に排出する際に、従動ローラ２２が逆向きの方向Ｋ２ａに回転すると、天井板２９に接触する位置即ち一対のレバー部材３２のうちの一方のレバー部材３２に当接する位置まで従動ローラ２２とともに回転する。また、付勢ねじ３６は、芯軸３１の外周面上を摺動することにより、ＣＤ２を機器本体３外に排出する際に、従動ローラ２２が逆向きの方向Ｋ２ａに回転すると、ストッパ３５を一対のレバー部材３２のうちの一方のレバー部材３２に当接する位置に維持する。
【００５９】
そして、ＭＰＵ１７は、ステップＳ６において、ロータリエンコーダ２５がＣＤ２を排出するときに回転する方向Ｋ２と逆向きの方向Ｋ２ａに従動ローラ２２が回転したことを検出したこと即ち前述したＣＤ２の排出中に他のＣＤ２ａが挿入されたことを示す警告メッセージを表示パネル１３に表示して、ステップＳ７に進む。ステップＳ７では、ＭＰＵ１７は、ロータリエンコーダ２５が逆向きの方向Ｋ２ａに従動ローラ２２が回転したことを検出した後に、ＣＤ２を排出するときに回転する方向Ｋ２に従動ローラ２２が回転したことを検出したか否か即ち前述した他のＣＤ２ａが抜き取られたか否かを判定して、検出していないと即ち前述した他のＣＤ２ａが抜き取られていないとステップＳ６に戻り、検出すると即ち前述した他のＣＤ２ａが抜き取られるとステップＳ８に進む。こうして、ＭＰＵ１７は、ロータリエンコーダ２５がＣＤ２を排出するときに回転する方向Ｋ２と逆向きの方向Ｋ２ａに従動ローラ２２が回転したことを検出した後に、他のＣＤ２ａが抜き取られるまで、ステップＳ６及びステップＳ７を繰り返す。
【００６０】
そして、ＭＰＵ１７は、ステップＳ８では、スイッチなどから情報により、ＣＤ２の排出が完了したか否かを判定し、排出が完了していないと、当該ステップＳ８を繰り返し、排出が完了すると、ステップＳ９に進んで、駆動ローラ２１の回転駆動を停止する。要するに、ＭＰＵ１７は、ＣＤ２の排出が完了するまで、ステップＳ８を繰り返す。
【００６１】
また、ＭＰＵ１７は、機器本体３内にＣＤ２を収容する際には、モータ１５を制御して、図７、図１０、図１３及び図１９に示すように、ストッパ片４０を前述した規制位置に位置付ける。そして、ＭＰＵ１７は、スイッチ１４ａのうち収容用のスイッチ１４ａが押圧操作されると、モータ１５により駆動ローラ２１を機器本体３内にＣＤ２を収容する方向Ｋ１ａ（図１９中に矢印で示す）に回転駆動する。すると、機器本体３内に収容するＣＤ２が、図７、図１３及び図１９に示すように、駆動ローラ２１と従動ローラ２２との間に挟まれて、当該機器本体３内に徐々に収容されるとともに、当該ＣＤ２の移動にともなって、従動ローラ２２が前述した逆向きの方向Ｋ２ａ（図１９中に矢印で示す）に沿って回転する。
【００６２】
このとき、ストッパ片４０が規制位置に位置付けられて、ストッパ３５が駆動シャーシ３０とストッパ片４０との間に挟まれているので、付勢ねじ３６が芯軸３１の外周面上を摺動して、ストッパ３５が回転することなく、従動ローラ２２のみが前述した逆向きの方向Ｋ２ａに回転する。こうして、機器本体３内にＣＤが収容されて、所定のホルダ１９に保持される。そして、ＭＰＵ１７は、ディスク再生部５及びディスク移動機構７などを適宜制御して、所定のホルダ１９に保持されたＣＤ２の情報を読み出して再生する。
【００６３】
このように、規制解除部２８は、ＣＤ２を機器本体３内に収容する際に、ＣＤ２を排出するときに回転する方向Ｋ２と逆向きの方向Ｋ２ａに従動ローラ２２が回転しても、ＣＤ２が機器本体３内に侵入することを侵入規制部２７に許容させる。そして、規制解除部２８のストッパ片４０は、ＣＤ２を機器本体３内に収容する際に位置付けられかつストッパ３５が従動ローラ２２とともに逆向きの方向Ｋ２ａに回転することを規制する規制位置と、ＣＤ２を機器本体３外に排出する際に位置付けられかつストッパ３５が従動ローラ２２とともに逆向きの方向Ｋ２ａに回転することを許容する許容位置とに亘って移動される。
【００６４】
なお、ロータリエンコーダ２５は警告メッセージを表示するために従動ローラ２２の回転方向を検出しているが、本実施例はロータリエンコーダ２５の有無に関わらず他のＣＤ２ａの誤挿入を防止している。つまり、他のＣＤ２ａが侵入した際には、ロータリエンコーダ２５が誤挿入を検出するのではなく、他のＣＤ２ａの駆動力に基づいた従動ローラ２２、侵入規制部２７、レバー部材３２等の機構によって侵入を阻止している。よって、ロータリエンコーダ２５をなくせばより安価に誤挿入の防止を実現できる。もし警告メッセージが表示されなくても、他のＣＤ２ａは検知ピン３３に規制される位置より奥に挿入することが出来ないので、ユーザは誤って他のＣＤ２ａを挿入したことに気づくことができる。
【００６５】
なお、本実施例では、検知ピン３３が他のＣＤ２ａの侵入を防いでいるが、ＣＤ２ａの非搬送時にＣＤ２ａの搬送経路内に位置しかつ搬送中にＣＤ２ａに押圧されて搬送経路外に移動する部材であれば、検知ピン３３に限らず種々のピンにより本発明を実現することが可能である。例えば、検知ピン３３に代替する部材として、ＣＤ２ａをトレイに案内するための案内ピン等が挙げられる。ようするに、従動ローラ２２の移動に連動した侵入規制部２７によって搬送経路内に位置付けることが可能な部材であればよい。
【００６６】
本実施例によれば、ＣＤの排出中に、従動ローラ２２が排出するときに回転する方向Ｋ２と逆向きの方向Ｋ２ａに回転すると即ち排出中のＣＤ２と従動ローラ２２との間に他のＣＤ２ａが挿入されると、侵入規制部２７が一対のレバー部材３２が互いに離れることを規制して、このレバー部材３２に設けられた検知ピン３３によりＣＤ２の機器本体３内への侵入を規制する。このため、ＣＤ２の排出中に、他のＣＤ２ａが排出中のＣＤ２と従動ローラ２２との間に挿入されても、当該他のＣＤ２ａの機器本体３内への侵入を阻止できる。したがって、ＣＤ２の排出中の他のＣＤ２ａの誤挿入を確実に防止することができる。
【００６７】
侵入規制部２７が、従動ローラ２２に向かって付勢されて当該従動ローラ２２に取り付けられたストッパ３５と、従動ローラ２２がＣＤ２を排出するときに回転する方向Ｋ２と逆向きの方向Ｋ２ａに回転するとストッパ３５をレバー部材３２に当接する位置に維持する付勢ねじ３６と、を備えている。このため、ＣＤ２を排出する際に、従動ローラ２２が前述した逆向きの方向Ｋ２ａに回転すると即ち従動ローラ２２と排出中のＣＤ２との間に他のＣＤ２ａが挿入されると、付勢ねじ３６によりストッパ３５をレバー部材３２に当接する位置に維持することができる。よって、ＣＤ２を排出する際に、従動ローラ２２と排出中のＣＤ２との間に他のＣＤ２ａが挿入されても、一対のレバー部材３２が互いに離れることを規制でき、前述した他のＣＤ２ａの機器本体３内への侵入を確実に防止することができる。
【００６８】
また、ＣＤ２を機器本体３内に収容する際に、前述した逆向きの方向Ｋ２ａに従動ローラ２２が回転しても、ＣＤ２が機器本体３内に侵入することを侵入規制部２７に許容させる規制解除部２８を備えている。このため、ＣＤ２を機器本体３内に収容する際には、当該ＣＤ２の機器本体３内への侵入を侵入規制部２７が妨げることなく、前述したＣＤ２を機器本体３内に確実に収容することができる。
【００６９】
規制解除部２８が、ＣＤ２を機器本体３内に収容する際にストッパ３５の回転を規制する規制位置と、ＣＤ２を機器本体３外に排出する際にストッパ３５の回転を許容する許容位置とに亘って移動されるストッパ片４０を備えている。このため、ＣＤ２を機器本体３内に収容する際には、当該ＣＤ２を機器本体３内に確実に収容でき、ＣＤ２を機器本体３外に排出する際には、当該ＣＤ２を機器本体３外に確実に排出することができる。
【００７０】
また、ＣＤ２の排出中に、従動ローラ２２が排出するときに回転する方向Ｋ２と逆向きの方向Ｋ２ａに回転すると、即ち他のＣＤ２ａが排出中のＣＤ２と従動ローラ２２との間に挿入されると、かかる旨の表示パネル１３に表示する。このため、使用者にＣＤ２の誤挿入を喚起ことができ、ＣＤ２の排出中の他のＣＤ２ａの誤挿入をより確実に防止することができる。
【００７１】
前述した実施例では、駆動ローラ２１は従動ローラ２２の上方に配置されている。しかしながら、本発明では、駆動ローラ２１を従動ローラ２２の下方に配置しても良いことは勿論である。
【００７２】
さらに、前述した実施例では、ストッパ３５を従動ローラ２２の前述した端部のみに設けて、一方のレバー部材３２のみに当接させることで、当該レバー部材３２の移動を規制している。しかしながら、本発明では、ストッパ３５を従動ローラ２２の両端部に設けて、一対のレバー部材３２の双方に当接させることで、当該レバー部材３２の移動を規制するようにしても良い。要するに、本発明では、侵入規制部２７は、一対のレバー部材３２のうち少なくとも一方に当接することで、当該レバー部材３２の移動を規制すれば良い。
【００７３】
前述した実施例によれば、以下のＣＤチェンジャが得られる。
【００７４】
（付記）  機器本体３と、
モータ１５により回転駆動されることで前記機器本体３内にＣＤ２を出し入れする駆動ローラ２１と、
前記駆動ローラ２１に接離自在に設けられかつ前記駆動ローラ２１に近づく方向に付勢されているとともに前記駆動ローラ２１との間に前記ＣＤ２を挟みこむ従動ローラ２２と、
前記機器本体３に互いに接離自在に設けられかつ互いに近づく方向に付勢されているとともに前記機器本体３内外に搬送されるＣＤ２の外縁に接触する検知ピン３３が設けられた一対のレバー部材３２を有して、前記ＣＤ２によって前記検知ピン３３が押圧されて前記レバー部材３２が移動することで前記ＣＤ２を検知するディスク検知機構２６と、
を備えたＣＤチェンジャ１において、
前記ＣＤ２を前記機器本体３外に排出する際に、前記ＣＤ２を排出するときに回転する方向Ｋ２と逆向きの方向Ｋ２ａに前記従動ローラ２２が回転すると、前記一対のレバー部材３２のうちの少なくとも一方に当接して、これら一対のレバー部材３２が互いに離れることを規制して、前記ＣＤ２が前記機器本体３内に侵入することを規制する侵入規制部２７を備えたことを特徴とするＣＤチェンジャ１。
【００７５】
付記によれば、ＣＤの排出中に、従動ローラ２２が排出するときに回転する方向Ｋ２と逆向きの方向Ｋ２ａに回転すると即ち排出中のＣＤ２と従動ローラ２２との間に他のＣＤ２ａが挿入されると、侵入規制部２７が一対のレバー部材３２が互いに離れることを規制して、このレバー部材３２に設けられた検知ピン３３によりＣＤ２の機器本体３内への侵入を規制する。このため、ＣＤ２の排出中に、他のＣＤ２ａが排出中のＣＤ２と従動ローラ２２との間に挿入されても、当該他のＣＤ２ａの機器本体３内への侵入を阻止できる。したがって、ＣＤ２の排出中の他のＣＤ２ａの誤挿入を確実に防止することができる。
【００７６】
前述した実施例では、記録媒体としてのＣＤ２を複数収容するＣＤチェンジャ１を示している。しかしながら、本発明では、例えば、記録媒体としてのＭＤ（Mini Disc）を複数収容するＭＤチェンジャや、例えば、ＤＶＤ（Digital Versatile Disc）などの他の記録媒体を複数収容する情報処理装置に適用しても良い。さらに、本発明は、各種の記録媒体を一枚のみ収容する情報処理装置に適用しても良い。
【００７７】
なお、前述した実施例は本発明の代表的な形態を示したに過ぎず、本発明は、実施例に限定されるものではない。
【図面の簡単な説明】
【００７８】
【図１】本発明の一実施例にかかる情報処理装置としてのＣＤチェンジャの外観を示す斜視図である。
【図２】図１に示されたＣＤチェンジャの互いに組み付けられた固定シャーシとディスク搬送部とディスク再生部とディスク収容部とディスク移動機構などを示す斜視図である。
【図３】図２に示されたＣＤチェンジャの要部の構成を示すブロック図である。
【図４】図２に示されたＣＤチェンジャのＣＤの排出中に他のＣＤが挿入された際のフローチャートである。
【図５】図２に示されたＣＤチェンジャのストッパ片が許容位置に位置付けられた状態を示す斜視図である。
【図６】図５に示されたＣＤチェンジャの排出中のＣＤと従動ローラとの間に他のＣＤが挿入された状態を示す斜視図である。
【図７】図２に示されたＣＤチェンジャのストッパ片が規制位置に位置付けられた状態を示す斜視図である。
【図８】図５中のＶＩＩＩ部を拡大して示す斜視図である。
【図９】図６中のＩＸ部を拡大して示す斜視図である。
【図１０】図７中のＸ部を拡大して示す斜視図である。
【図１１】図８に示されたＣＤチェンジャの要部を側方からみた側面図である。
【図１２】図９に示されたＣＤチェンジャの要部を側方からみた側面図である。
【図１３】図１０に示されたＣＤチェンジャの要部を側方からみた側面図である。
【図１４】図８中のＸＩＶ−ＸＩＶ線に沿う断面図である。
【図１５】図２に示されたＣＤチェンジャがＣＤを排出している状態を模式的に示す説明図である。
【図１６】図１５に示されたＣＤチェンジャの排出中のＣＤと従動ローラとの間に他のＣＤが挿入されようとする状態を模式的に示す説明図である。
【図１７】図１６に示されたＣＤチェンジャの排出中のＣＤと従動ローラとの間に他のＣＤが挿入された状態を模式的に示す説明図である。
【図１８】図１７に示されたＣＤチェンジャの要部を模式的に示す平面図である。
【図１９】図２に示されたＣＤチェンジャがＣＤを収容している状態を模式的に示す説明図である。
【符号の説明】
【００７９】
１  ＣＤチェンジャ（情報処理装置）
２  ＣＤ（記録媒体）
２ａ  他のＣＤ（他の記録媒体）
３  機器本体
１３  表示パネル（表示部）
１５  モータ（駆動源）
１７  ＭＰＵ（制御手段）
２１  駆動ローラ
２２  従動ローラ
２５  ロータリエンコーダ（検出手段）
２６  ディスク検知機構
２７  侵入規制部
２８  規制解除部
３２  レバー部材
３３  検知ピン（ピン）
３５  ストッパ（被取付部材）
３６  付勢ねじ（維持手段）
４０  ストッパ片（移動部材）
Ｋ２  ＣＤを排出するときに回転する方向
Ｋ２ａ  逆向きの方向
【図１】
2010079981.tif 000003
【図２】
2010079981.tif 000004
【図３】
2010079981.tif 000005
【図４】
2010079981.tif 000006
【図５】
2010079981.tif 000007
【図６】
2010079981.tif 000008
【図７】
2010079981.tif 000009
【図８】
2010079981.tif 000010
【図９】
2010079981.tif 000011
【図１０】
2010079981.tif 000012
【図１１】
2010079981.tif 000013
【図１２】
2010079981.tif 000014
【図１３】
2010079981.tif 000015
【図１４】
2010079981.tif 000016
【図１５】
2010079981.tif 000017
【図１６】
2010079981.tif 000018
【図１７】
2010079981.tif 000019
【図１８】
2010079981.tif 000020
【図１９】
2010079981.tif 000021